(57)【要約】  本発明によるヘッドマウントディスプレイデバイスは、ヘッドマウント装置と、機能装置と、ヘッドマウント装置及び機能装置に接続されるデータ線と、を含み、ヘッドマウント装置は、近眼表示を提供するように構成されるディスプレイ装置を含み、機能装置は、データ線を介して対応する制御信号をヘッドマウント装置に送信するように構成され、ヘッドマウントディスプレイデバイスは、タッチパッドと、プロセッサと、をさらに含み、タッチパッドは、前記データ線に設けられ、タッチ動作に応じてタッチ信号を生成するように構成され、プロセッサは、タッチ信号に従って対応する制御信号を生成するように構成される。本発明は、ヘッドマウントディスプレイデバイスの制御方法をさらに開示する。本発明のヘッドマウントディスプレイデバイス及びその制御方法は、タッチパッドが、データ線に設けられることにより、ユーザが入力しやすくなる。【選択図】図１
2019506776.tif 000002
【特許請求の範囲】
【請求項１】
ヘッドマウントディスプレイデバイスであって、
ヘッドマウント装置と、機能装置と、前記ヘッドマウント装置を前記機能装置に接続するデータ線と、を含み、
前記ヘッドマウント装置は、近眼表示を提供するように構成されるディスプレイ装置を含み、
前記機能装置と前記ヘッドマウント装置とは、前記データ線を介して信号伝送を行い、
前記ヘッドマウントディスプレイデバイスは、タッチパッドと、プロセッサと、をさらに含み、
前記タッチパッドは、前記データ線に設けられ、タッチ動作に応じてタッチ信号を生成するように構成され、
前記プロセッサは、前記タッチ信号に応じて対応する制御信号を生成するように構成されることを特徴とする、ヘッドマウントディスプレイデバイス。
【請求項２】
前記プロセッサは、前記機能装置に設けられ、
前記プロセッサは、前記データ線を介して、前記ヘッドマウント装置前記ヘッドマウント装置に制御信号を出力することにより、前記ヘッドマウント装置が対応する機能を実行するように制御することを特徴とする、請求項１に記載のヘッドマウントディスプレイデバイス。
【請求項３】
前記機能装置は、前記プロセッサと前記タッチパッドとの間に接続されるタッチインターフェースユニットをさらに含み、
前記タッチインターフェースユニットは、前記タッチパッドにより生成されたタッチ信号を受信して前記プロセッサに送信することを特徴とする、請求項２に記載のヘッドマウントディスプレイデバイス。
【請求項４】
前記プロセッサは、前記ディスプレイ装置に設けられ、
前記ディスプレイ装置は、前記プロセッサと前記タッチパッドとの間に接続されるタッチインターフェースユニットをさらに含み、
前記タッチインターフェースユニットは、前記タッチパッドにより生成されたタッチ信号を受信して前記プロセッサに送信するように構成されることを特徴とする、請求項１に記載のヘッドマウントディスプレイデバイス。
【請求項５】
前記ヘッドマウント装置は、音声の出力を提供するように構成されるイヤホン装置をさらに含むことを特徴とする、請求項１に記載のヘッドマウントディスプレイデバイス。
【請求項６】
前記プロセッサは、前記イヤホン装置に設けられ、
前記イヤホン装置は、前記プロセッサと前記タッチパッドとの間に接続されるタッチインターフェースユニットをさらに含み、
前記タッチインターフェースユニットは、前記タッチパッドにより生成されたタッチ信号を受信して前記プロセッサに送信するように構成されることを特徴とする、請求項５に記載のヘッドマウントディスプレイデバイス。
【請求項７】
前記ヘッドマウント装置は、音声及び映像プロセッサをさらに含み、
前記音声及び映像プロセッサは、音声及び映像信号を、前記ディスプレイ装置に表示出力され得る映像信号及びイヤホン装置に出力され得る音声信号に処理するように構成されることを特徴とする、請求項５に記載のヘッドマウントディスプレイデバイス。
【請求項８】
前記プロセッサは、タッチ信号に応じて、制御信号が、ある音声及び映像ファイルを開く制御信号であると確定された場合、記憶ユニットに記憶される、対応する音声及び映像ファイルを開くように制御し、音声及び映像を混合するマルチメディア信号を生成して前記データ線を介して前記音声及び映像プロセッサに伝送し、
前記音声及び映像プロセッサは、前記マルチメディア信号を受信し、前記マルチメディア信号を音声信号及び表示信号にデコードして、前記音声信号を前記イヤホン装置に送信して音声出力を行い、前記表示信号を前記ディスプレイ装置に送信して表示出力を行うことを特徴とする、請求項７に記載のヘッドマウントディスプレイデバイス。
【請求項９】
前記タッチパッドは、フレキシブルタッチパッドであり、前記データ線の周囲に包むことを特徴とする、請求項１に記載のヘッドマウントディスプレイデバイス。
【請求項１０】
前記プロセッサは、前記タッチパッドのタッチ信号及び現在のヘッドマウント装置の出力状態に応じて、対応する制御信号を確定することを特徴とする、請求項１に記載のヘッドマウントディスプレイデバイス。
【請求項１１】
前記プロセッサは、タッチ信号を受信した後、ヘッドマウント装置の現在の出力状態が音声及び映像の再生状態であるかどうかを判断し、
前記プロセッサは、現在の出力状態が音声及び映像の再生状態ではないと判断された場合、スライドタッチ動作に対応するタッチ信号に応じて、メニューオプション切り替えの機能を行うための制御信号を生成し、
前記プロセッサは、現在の出力状態が音声及び映像の再生状態であると判断された場合、クリックタッチ動作に対応するタッチ信号に応じて、現在の音声及び映像を再生または一時停止するように制御する制御信号を生成するか、またはダブルクリックタッチ動作に対応するタッチ信号に応じて、メニューを呼び出すように制御する制御信号を生成するか、またはスライドタッチ動作に対応するタッチ信号に応じて、再生音量を調整するように制御する制御信号を生成することを特徴とする、請求項１０に記載のヘッドマウントディスプレイデバイス。
【請求項１２】
前記プロセッサは、スライドタッチ動作に対応する制御信号に応じて、現在のヘッドマウント装置の出力状態が音声及び映像の再生状態である場合、さらにスライド方向に応じて、対応する機能を制御する制御信号を生成し、
前記プロセッサは、上下にスライドすると判断された場合、音量を調整するように制御する制御信号を生成することにより、音量を調整し、
前記プロセッサは、左右にスライドすると判断された場合、早送りまたは早戻しを制御する制御信号を生成することにより、現在の再生している音声及び映像ファイルの早送りまたは早戻しを制御することを特徴とする、請求項７に記載のヘッドマウントディスプレイデバイス。
【請求項１３】
前記プロセッサは、タッチ信号に応じて少なくとも２つのタッチポイントを有し、少なくとも２つのタッチポイントのタッチ時間が連続的に第１持続時間よりも短いと確定された場合、クリックであると判断し、
前記プロセッサは、タッチ信号に応じて、所定の時間内に２回のクリックが発生したと確定された場合、ダブルクリックであると確定し、
前記プロセッサは、さらに受信されたタッチ信号に応じて、少なくとも２つのタッチポイントのタッチ時間が連続的に第２持続時間よりも長いと確定された場合、タッチ信号に応じて、前記少なくとも２つのタッチポイントの座標が変化したか否かを確定し、前記少なくとも２つのタッチポイントの座標が変化された場合、スライド動作であると確定することを特徴とする、請求項７に記載のヘッドマウントディスプレイデバイス。
【請求項１４】
前記プロセッサは、タッチ信号に応じて、ロック解除／ロックの制御信号であると確定された場合、前記タッチパッドのロック解除状態またはロック状態を切り替えるように制御することを特徴とする、請求項２に記載のヘッドマウントディスプレイデバイス。
【請求項１５】
前記イヤホン装置は、音声駆動ユニットと、受話器とをさらに含み、
前記ディスプレイ装置は、表示駆動ユニットと、表示器と、光モジュールとを含み、
前記音声及び映像プロセッサは、前記プロセッサにより送信された、音声及び映像を混合するマルチメディア信号を受信する時、前記マルチメディア信号を音声信号及び表示信号にデコードして、前記音声信号を前記音声駆動ユニットに送信し、前記表示信号を、前記イヤホン装置に接続される前記ディスプレイ装置の前記表示駆動ユニットに送信し、
前記音声駆動ユニットは、前記音声信号に応じて対応する音声を出力するように前記受話器を駆動し、
前記表示駆動ユニットは、前記表示信号に応じて対応する表示画像を出力するように前記表示器を駆動し、
前記光モジュールは、前記表示器により出力された表示画像を、所定の経路に従ってユーザの両目に投影することを特徴とする、請求項８に記載のヘッドマウントディスプレイデバイス。
【請求項１６】
ヘッドマウントディスプレイデバイスの制御方法であって、
前記ヘッドマウントディスプレイデバイスは、ヘッドマウント装置と、機能装置と、前記ヘッドマウント装置を前記機能装置に接続するデータ線と、前記データ線に設けられるタッチパッドと、を含み、
前記方法は、
前記タッチパッドは、タッチ動作に応じてタッチ信号を生成するステップと、
前記ヘッドマウントディスプレイデバイスは、前記タッチ信号及び前記ヘッドマウント装置の現在の出力状態に応じて、対応する機能を確定するステップと、
対応する機能を制御する制御信号を出力することにより、対応する機能を実行するように制御するステップと、を含むことを特徴とする、制御方法。
【請求項１７】
前記タッチ信号及び前記ヘッドマウント装置の現在の出力状態に応じて、対応する機能を確定するステップは、
出力状態が音声及び映像の再生状態ではなく、タッチ動作がスライドタッチである場合、メニューオプション切り替えの機能を制御する制御信号を出力することと、
出力状態が音声及び映像の再生状態であり、タッチ動作がスライドタッチである場合、メニューオプション切り替えの機能を制御する制御信号を出力することと、
出力状態が音声及び映像の再生状態であり、タッチ動作がクリックである場合、一時停止するように制御する制御信号を出力することと、
出力状態が音声及び映像の再生状態であり、タッチ動作がダブルクリックである場合、メニューを呼び出すように制御する制御信号を出力することと、を含むことを特徴とする、請求項１６に記載の制御方法。
【請求項１８】
前記方法は、タッチ動作に応じて、ロック解除／ロックのタッチ信号であると確定された場合、前記タッチパッドのロック解除状態またはロック状態を切り替えるように制御することにより、前記タッチパッドを操作可能又は操作禁止にするステップをさらに含むことを特徴とする、請求項１６に記載の制御方法。
【請求項１９】
タッチ信号に応じて、対応する機能が、ある音声及び映像ファイルを開くことであると確定された場合、音声及び映像ファイルを開き、音声及び映像を混合したマルチメディア信号を生成するステップと、
前記データ線を介して前記マルチメディア信号を前記ヘッドマウント装置に送信するステップと、
前記マルチメディア信号を音声信号及び表示信号にデコードして、前記音声信号をイヤホン装置に送信して音声出力を行い、前記表示信号をディスプレイ装置に送信して表示出力を行うステップと、をさらに含むことを特徴とする、請求項１６に記載の制御方法。
【発明の詳細な説明】
【技術分野】
【０００１】
本発明は、ディスプレイデバイスに関し、特に、ヘッドマウントディスプレイデバイス及びその制御方法に関する。
【背景技術】
【０００２】
現在、ヘッドマウントディスプレイデバイスは、一般的にヘッドマウント部分および機能装置を含む。ヘッドマウント部分は、表示部とイヤホン部とを含み、表示部が表示画像を提供するように構成され、イヤホン部は、音声を提供するように構成される。機能装置は、例えばバッテリ、プロセッサ、記憶モジュールを備える機能制御モジュールを含み、無線モジュール、ＨＤＭＩ、ＵＳＢなどの通信インターフェースをさらに含むことができる。機能装置は、データ線を介してヘッドマウント部分に接続される。前記データ線は、主に音声／映像信号を送信するように構成され、さらに電源信号及び制御信号などを送信するように構成され得る。従来技術のヘッドマウントディスプレイデバイスは、通常、タッチパッドを入力装置として配置される。タッチパッドは、一般的に、イヤホン部または機能装置に設けられる。しかし、タッチパッドが、片側、例えば右側のイヤホンに設けられる時、左利きのユーザにとっては不便である。また、イヤホンにタッチパッドを追加することにより、イヤホンの体積及びヘッドマウント端の重量を増加する。タッチパッドがボックス端に設けられる場合、使用者が着用した後に視界が遮られるため、ボックス端の位置が位置決めされにくく、常にボックスを手持つ必要がある。ボックス端が一定の重さがあるため、ユーザは常にボックスを手持つので、一定の負担になる。さらに、ボックス端は電池を含む場合、熱が発生し、手持ち感がよくない。
【発明の概要】
【０００３】
本発明の実施形態によるヘッドマウントディスプレイデバイス及びその制御方法は、タッチパッドが、データ線に設けられることにより、ユーザが入力しやすくなるため、タッチパッドが機能装置またはヘッドマウントディスプレイデバイスに設けられる問題を避けることができる。
【０００４】
本発明の実施形態によるヘッドマウントディスプレイデバイスは、ヘッドマウント装置と、機能装置と、前記ヘッドマウント装置を前記機能装置に接続するデータ線と、を含む。前記ヘッドマウント装置は、近眼表示（near-eyedisplay、ニアアイディスプレイ）を提供するように構成されるディスプレイ装置を含む。前記機能装置と前記ヘッドマウント装置とは、前記データ線を介して信号伝送を行う。前記ヘッドマウントディスプレイデバイスは、タッチパッドと、プロセッサと、をさらに含む。前記タッチパッドは、前記データ線に設けられ、タッチ動作に応じてタッチ信号を生成するように構成される。前記プロセッサは、前記タッチ信号に応じて対応する制御信号を生成するように構成される。
【０００５】
ヘッドマウントディスプレイデバイスの制御方法であって、前記ヘッドマウントディスプレイデバイスは、ヘッドマウント装置と、機能装置と、前記ヘッドマウント装置を前記機能装置に接続するデータ線と、前記データ線に設けられるタッチパッドと、を含み、前記方法は、前記タッチパッドがタッチ動作に応じてタッチ信号を生成するステップと、前記ヘッドマウントディスプレイデバイスが前記タッチ信号に応じて前記タッチパッドにおけるタッチ動作を確定し、タッチ動作及び現在の前記ヘッドマウント装置の出力状態に応じて対応する機能を確定するステップと、対応する機能を制御する制御信号を出力して、対応する機能を実行するように制御するステップと、を含む。
【０００６】
本発明のヘッドマウントディスプレイデバイス及びその制御方法は、タッチパッドが、ヘッドマウント装置及び機能装置に接続されるデータ線に設けられることにより、ユーザが入力しやすくなるため、タッチパッドが機能装置またはヘッドマウントディスプレイデバイスに設けられる問題を避けることができる。
【０００７】
本発明の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【０００８】
【図１】図１は、本発明の一つの実施形態によるヘッドマウントディスプレイデバイスの立体概略図である。
【図２】図２は、本発明の一つの実施形態によるヘッドマウントディスプレイデバイスの機能ブロック図である。
【図３】図３は、本発明の一つの実施形態によるヘッドマウントディスプレイデバイスの制御方法の流れ図である。
【発明を実施するための形態】
【０００９】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１０】
図１及び図２を参照すると、図１は、本発明の一つの実施形態によるヘッドマウントディスプレイデバイス１００の立体概略図である。前記ヘッドマウントディスプレイデバイス１００は、ヘッドマウント装置１０と、機能装置２０と、データ線３０と、データ線３０上に設けられるタッチパッド４０と、プロセッサ５０とを含む。前記ヘッドマウント装置１０および機能装置２０は、データ線３０を介して信号伝送を行う。前記機能装置２０は、箱状の制御装置であってもよい。
【００１１】
前記タッチパッド４０は、データ線３０に設けられ、タッチ動作に応じてタッチ信号を生成するように構成される。前記プロセッサ５０は、タッチ信号を受信し、タッチ信号に応じて対応する制御信号を生成することにより、対応する機能を実行するように制御するように構成される。
【００１２】
一つの実施形態において、前記ヘッドマウントディスプレイデバイス１００は、タッチインターフェースユニット６０をさらに含む。前記タッチパッド４０は、前記タッチインターフェースユニット６０を介して、プロセッサ５０に接続し、タッチ信号を、前記タッチインターフェースユニット６０を介してプロセッサ５０に送信する。
【００１３】
一つの実施形態において、プロセッサ５０とタッチインターフェースユニット６０とは、機能装置２０に設けられ、互いに電気的に接続されている。前記プロセッサ５０は、前記データ線３０を介して、前記ヘッドマウント装置１０に、対応する制御信号を出力しまたは前記制御信号に応じて対応するデータを出力することにより、前記ヘッドマウント装置１０が対応する機能を実行するように制御する。
【００１４】
前記ヘッドマウント装置１０は、互いに接続されるディスプレイ装置１１とイヤホン装置１２とを含む。前記ディスプレイ装置１１は、表示画像を提供するように構成される。前記イヤホン装置１２は、音声を提供するように構成される。
【００１５】
他の実施形態において、プロセッサ５０とタッチインターフェースユニット６０とは、ヘッドマウント装置１０のディスプレイ装置１１またはイヤホン装置１２に設けられ、且つプロセッサ５０とタッチインターフェースユニット６０とは、互いに電気的に接続されている。
【００１６】
前記タッチパッド４０は、フレキシブルタッチパッドであり、前記データ線３０の周囲に包む。タッチインターフェースユニット６０が機能装置２０に設けられる時、タッチパッド４０の一端は機能装置２０に近接する位置まで延び、さらにプラグ接続方法などを介して前記タッチインターフェースユニット６０に接続される。それにより、タッチパッド４０は、タッチインターフェースユニット６０を介して、プロセッサ５０とのデータ接続を確立する。
【００１７】
前記タッチインターフェースユニット６０がヘッドマウント装置１０のイヤホン装置１２またはディスプレイ装置１１に設けられる時、タッチパッド４０の一端はヘッドマウント装置１０のイヤホン装置１２またはディスプレイ装置１１に近接する位置まで伸び、さらにプラグ接続方法などを介して前記タッチインターフェースユニット６０に接続される。それにより、タッチパッド４０は、タッチインターフェースユニット６０を介して、プロセッサ５０とのデータ接続を確立する。
【００１８】
タッチパッド４０が機能装置２０またはイヤホン装置１２に設けられる従来の形態に比べて、機能装置２０またはイヤホン装置１２の体積および重量を低減することができる。また、本発明のデータ線３０において、イヤホン装置１２から機能装置２０にタッチ信号を送信するためのタッチ信号伝送線芯も省略することができ、データ線３０のサイズも小さくすることができる。
【００１９】
図２を参照すると、図２は、ヘッドマウントディスプレイデバイス１００の機能ブロック図である。一つの実施形態において、前記ヘッドマウント装置１０は、第１データインターフェース１３と音声及び映像プロセッサ１４とをさらに含む。前記機能装置２０は、第２データインターフェース２１と、電源ユニット２２と、記憶ユニット２３と、を含む。前記記憶ユニット２３において若干の音声及び映像ファイルを記憶している。前記第１データインターフェース１３及び前記音声及び映像プロセッサ１４は、ディスプレイ装置１１及びイヤホン装置１２のいずれかに設けられ得る。図１には、第１データインターフェース１３がイヤホン装置１２に設けられる例が示される。
【００２０】
前記ヘッドマウント装置１０の第１データインターフェース１３は、データ線３０を介して機能装置２０の第２データインターフェース２１に接続されることにより、ヘッドマウント装置１０と機能装置２０とのデータ接続を確立する。前記機能装置２０の電源ユニット２２は、さらにデータ線３０を介してヘッドマウント装置１０に動作電圧を供給する。前記データ線３０は、電力供給電圧を伝送するための電力供給線芯と、音制御信号を伝送するための制御信号線芯等を含むことができる、電力供給およびデータ伝送を行うように構成される。
【００２１】
本実施形態において、前記プロセッサ５０は、タッチインターフェースユニット６０を介してタッチパッド４０と電気的に接続される。前記プロセッサ５０は、タッチパッド４０により生成されるタッチ信号を受信し、タッチ信号に応じて対応する機能を確定し、かつ対応する機能を実行するように制御するための制御信号を生成する。
【００２２】
本実施形態において、前記プロセッサ５０は、タッチ信号を受信する時、現在のヘッドマウント装置１０の出力状態を判断し、前記タッチ信号及び現在の出力状態に応じて対応する機能を確定する。具体的に、プロセッサ５０は、タッチ信号を受信した後、現在の出力状態が音声及び映像の再生状態であるかどうかを判断する。前記プロセッサ５０は、現在の出力状態が音声及び映像の再生状態ではなく、タッチ動作がスライドタッチ動作であると判断された場合、メニューオプションの切り替え機能を行うための制御信号を生成する。前記プロセッサ５０は、現在の出力状態が音声及び映像の再生状態であり、タッチ動作がクリックであると判断された場合、現在の音声及び映像ファイルを再生または一時停止するように制御する制御信号を生成するか、またはタッチ動作がダブルクリックであると判断された場合、メニューを呼び出すように制御する制御信号を生成するか、またはタッチ動作がスライド動作であると判断された場合、再生音量を調整するように制御する制御信号を生成するなどである。
【００２３】
本実施形態において、前記クリックとダブルクリックとの両方は、少なくとも２本の指によって実行されるタッチ動作を指す。プロセッサ５０は、タッチ信号に応じて少なくとも２つのタッチポイントを有すると確定された場合、少なくとも２本の指がタッチしていると判断する。また、前記プロセッサ５０は、受信されたタッチ信号に応じて、タッチ時間が連続的に第１持続時間（例えば０．２秒）よりも短いと確定された場合にクリックであると判断し、タッチ信号に応じて所定の時間内（例えば１秒）に２回のクリックが発生した場合にダブルクリック操作であると確定する。プロセッサ５０は、さらに受信されたタッチ信号によって、少なくとも２つのタッチポイントのタッチ時間が連続的に第２持続時間（例えば１秒）よりも長いと確定された場合、プロセッサ５０が、タッチ信号に応じて、タッチポイントの座標が変化したか否かを確定する。タッチポイントの座標が変化された場合、プロセッサ５０は、スライド動作であると確定し、タッチポイントの座標の変化する方向に応じて音量を対応して調整する。例えば、タッチポイントの座標の変化する方向が第１方向と判断された場合、音量を大きくするように制御し、タッチポイントの座標の変化する方向が第２方向と判断された場合、音量を小さくするように制御する。
【００２４】
一つの実施形態において、前記プロセッサ５０は、さらにタッチ信号によってタッチ動作がロック解除／ロックのタッチ動作であるかどうかを確定し、さらに対応するロック解除／ロック制御信号を生成する。具体的に、本実施形態において、前記ロック解除／ロックのタッチ動作は長押し動作である。前記プロセッサ５０は、タッチ信号に応じてタッチ時間が第２持続時間よりも連続的に長く、タッチポイントの座標が変化しないと確定された場合、長押し動作であると判断する。また、前記プロセッサ５０は、タッチパッド４０の現在の状態に応じて、タッチパッド４０のロック解除状態またはロック状態を切り替えるように制御する。即ち、タッチパッド４０のロック解除状態またはロック状態を切り替えるように制御する制御信号がタッチパッド４０に生成されることにより、タッチパッド４０がロック解除またはロックされるように制御する。例えば、タッチ動作が長押し動作であり、タッチパッド４０の現在の状態がロック解除状態である場合、タッチパッド４０はロックされるように制御する。タッチ動作が長押し動作であり、タッチパッド４０の現在の状態がロック状態である場合、タッチパッド４０はロック解除されるように制御する。
【００２５】
タッチパッド４０がロックされる場合、プロセッサ５０は、タッチパッド４０により生成されたタッチ信号を受信するが、前記タッチ信号に対応するタッチ動作がロック解除／ロックのタッチ動作ではない限り、処理しない。それにより、タッチパッド４０を使用する必要がない場合、タッチによりタッチパッド４０をロックすることができ、タッチパッド４０への誤タッチを防ぐことができる。明らかに、タッチパッド４０のロックが解除される場合、プロセッサ５０は、タッチパッド４０により生成されたタッチ信号を受信し、それに応じてさらに処理する。
【００２６】
一つの実施形態において、前記プロセッサ５０は、タッチ動作がスライド動作であり、現在のヘッドマウント装置１０の出力状態が音声及び映像の再生状態であると確定された場合、さらに、スライド方向に応じて対応する機能を確定し、対応する機能を実行する制御信号を生成する。プロセッサ５０は、タッチ信号に応じてスライド方向が上下にスライドする方向であると判断された場合、音量を調整するように制御する制御信号を生成する。プロセッサ５０は、タッチ信号に応じてスライド方向が左右にスライドする方向であると判断された場合、対応する機能が早送りまたは早戻しであると確定し、現在の再生している音声及び映像ファイルの早送りまたは早戻しを制御する制御信号を生成する。前記上下にスライドする方向は、タッチパッド４０において、前記タッチパッド４０に設けられるデータ線３０の長手方向に沿ってスライドすることを指す。前記左右にスライドする方向は、タッチパッド４０において、前記データ線３０と垂直な方向に沿ってスライドすることを指す。例えば、データ線は、ユーザの２本の指によって挟まれた後、捩じられる。
【００２７】
明らかに、前記タッチ動作は、上述のタッチ動作に限定されず、機能も上述の機能に限定されず、タッチ動作と機能との対応関係も上述の関係に限定されない。例えば、前記タッチ動作は円にしてもよく、現在のインターフェースが音声及び映像を再生するインターフェースである場合、対応する機能はループ再生機能である。他の実施形態において、ダブルクリックはロック解除/ロックの機能に対応し、長押し動作はメニューを呼び出す機能に対応する。
【００２８】
いくつかの実施形態において、前記プロセッサ５０は、タッチ動作に対応する機能が、ある音声及び映像ファイルを開くことであると確定された場合、記憶ユニット２３において対応する音声及び映像ファイルを開き、音声及び映像を混合するマルチメディア信号を生成するように制御し、データ線３０を介してヘッドマウント装置１０の音声及び映像プロセッサ１４に伝送する。音声及び映像プロセッサ１４は、前記マルチメディア信号を受信し、前記マルチメディア信号を音声信号及び表示信号にデコードして、前記音声信号をイヤホン装置１２に送信して音声出力を行い、前記表示信号をディスプレイ装置１１に送信して表示出力を行う。前記プロセッサ５０は、中央処理装置、マイクロコントローラ、シングルチップマイクロコンピュータ、デジタル信号プロセッサなどであってもよい。音声及び映像プロセッサ１４は、音声及び映像デコードチップとすることができる。前記記憶ユニット２３は、フラッシュメモリカード、ディスク、ソリッドステートディスクなどであってもよい。
【００２９】
図２に示すように、前記イヤホン装置１２は、音声駆動ユニット１２１と、受話器１２２とをさらに含む。前記ディスプレイ装置１１は、表示駆動ユニット１１１と、表示器１１２と、光モジュール１１３とを含む。前記プロセッサ５０は、読み取られたマルチメディア信号を音声信号及び表示信号にデコードして、音声信号を音声駆動ユニット１２１に送信し、表示信号をイヤホン装置１２に接続されるディスプレイ装置１１の表示駆動ユニット１１１に送信する。
【００３０】
前記音声駆動ユニット１２１は、前記音声信号に応じて対応する音声を出力するように前記受話器１２２を駆動するように構成される。具体的に、前記音声駆動ユニット１２１は、デジタル信号である音声信号をアナログ信号に変換し、さらに前記アナログ信号により前記受話器１２２を駆動して対応する音声を出力するように構成される。
【００３１】
前記表示駆動ユニット１１１は、前記表示信号によって対応する表示画像を出力するように表示器１１２を駆動するように構成される。前記光モジュール１１３は、表示器１１２により出力された表示画像を、所定の経路に従ってユーザの両目に投影するように構成される。前記表示画像は、上述した音声及び映像の再生のインターフェース、メニューのインターフェースなどを含む。
【００３２】
前記表示器１１２は、マイクロディスプレイである。
【００３３】
図１に示すように、前記ヘッドホン装置１２は、環状のベルト１２３をさらに含む。前記受話器１２２は、数量が２つであり、環状のベルト１２３の両端に設けられ、環状のベルト１２３を介して電気的に接続される。
【００３４】
一つの実施形態において、プロセッサ５０は、読み取られたマルチメディア信号を音声及び映像プロセッサ１４に送信し、音声及び映像プロセッサ１４が前記マルチメディア信号を音声信号及び表示信号にデコードして、表示信号を表示器１１２に送信して表示画像を出力した後、音声信号をイヤホン装置１２の受話器１２２に送信して音声を出力する。
【００３５】
図３を参照すると、図３は、本発明の一つの実施形態によるヘッドマウントディスプレイデバイスの制御方法の流れ図である。前記方法は、上述の任意の実施形態によるヘッドマウントディスプレイデバイスに対して制御を行うように構成される。前記方法は、以下のステップを含む。
【００３６】
プロセッサ５０は、機能装置２０をヘッドマウント装置１０に接続するためのデータ線３０に設けられるタッチパッド４０によって生成されたタッチ信号を受信する（Ｓ４０１）。
【００３７】
プロセッサ５０は、タッチ信号及びヘッドマウント装置１０の現在の出力状態に応じて、対応する機能を確定する（Ｓ４０３）。ヘッドマウント装置１０の出力状態が音声及び映像の再生状態ではなく、タッチ動作がスライドタッチである場合、プロセッサ５０は、対応する機能がメニューオプション切り替えの機能であると確定する。ヘッドマウント装置１０の出力状態が音声及び映像の再生状態であり、タッチ動作がスライドタッチである場合、プロセッサ５０は、対応する機能が音量を調整する機能であると確定する。ヘッドマウント装置１０の出力状態が音声及び映像の再生状態であり、タッチ動作がクリックである場合、プロセッサ５０は、対応する機能が一時停止する機能であると確定する。ヘッドマウント装置１０の出力状態が音声及び映像の再生状態であり、タッチ動作がダブルクリックである場合、プロセッサ５０は、対応する機能が、例えば再生インターフェースの音声及び映像ファイルのリストメニューを読み出すなどのメニューを呼び出す機能であると確定する。
【００３８】
プロセッサ５０は、対応する機能の実行を制御する制御信号を出力することにより、対応する機能を実行するように制御する（Ｓ４０５）。
【００３９】
一つの実施形態において、前記方法は、前記プロセッサ５０が、タッチ信号に応じてタッチ動作がロック解除／ロックのタッチ動作であると確定する場合、タッチパッド４０のロック解除状態またはロック状態を切り替えるように制御するステップをさらに含む。具体的に、本実施形態において、前記ロック解除／ロックのタッチ動作は長押し動作である。前記プロセッサ５０は、タッチ信号に応じてタッチ時間が第２持続時間よりも連続的に長く、タッチポイントの座標が変化しないと確定された場合、長押し動作であると判断し、タッチパッド４０のロック解除状態またはロック状態を切り替えるように制御する。
【００４０】
一つの実施形態において、前記方法は、プロセッサ５０が、タッチ動作に対応する機能が、ある音声及び映像ファイルを開くことであると確定された場合、記憶ユニット２３において対応する音声及び映像ファイルを開き、音声及び映像を混合するマルチメディア信号を生成するように制御し、データ線３０を介してヘッドマウント装置１０の音声及び映像プロセッサ１４に伝送し、音声及び映像プロセッサ１４が、前記マルチメディア信号を受信し、前記マルチメディア信号を音声信号及び表示信号にデコードして、前記音声信号をイヤホン装置１２に送信して音声出力を行い、前記表示信号をディスプレイ装置１１に送信して表示出力を行うステップをさらに含む。
【００４１】
以上は、本発明の好ましい実施形態である。当業者であれば、本発明の原理から逸脱することなく、幾つかの改良および変更を行うことができ、これらの改良および変更も本発明の保護の範囲とみなされることが理解されるべきである。
【図１】
2019506776.tif 000003
【図２】
2019506776.tif 000004
【図３】
2019506776.tif 000005
【手続補正書】
【提出日】平成30年6月13日(2018.6.13)
【手続補正１】
【補正対象書類名】明細書
【補正対象項目名】０００５
【補正方法】変更
【補正の内容】
【０００５】
本発明の実施形態によるヘッドマウントディスプレイデバイスの制御方法であって、前記ヘッドマウントディスプレイデバイスは、ヘッドマウント装置と、機能装置と、前記ヘッドマウント装置を前記機能装置に接続するデータ線と、前記データ線に設けられるタッチパッドと、を含み、前記方法は、前記タッチパッドがタッチ動作に応じてタッチ信号を生成するステップと、前記ヘッドマウントディスプレイデバイスが前記タッチ信号に応じて前記タッチパッドにおけるタッチ動作を確定し、タッチ動作及び現在の前記ヘッドマウント装置の出力状態に応じて対応する機能を確定するステップと、対応する機能を制御する制御信号を出力して、対応する機能を実行するように制御するステップと、を含む。
【手続補正２】
【補正対象書類名】特許請求の範囲
【補正対象項目名】全文
【補正方法】変更
【補正の内容】
【特許請求の範囲】
【請求項１】
ヘッドマウントディスプレイデバイスであって、
ヘッドマウント装置と、機能装置と、前記ヘッドマウント装置を前記機能装置に接続するデータ線と、を含み、
前記ヘッドマウント装置は、近眼表示を提供するように構成されるディスプレイ装置を含み、
前記機能装置と前記ヘッドマウント装置とは、前記データ線を介して信号伝送を行い、
前記ヘッドマウントディスプレイデバイスは、タッチパッドと、プロセッサと、をさらに含み、
前記タッチパッドは、前記データ線に設けられ、タッチ動作に応じてタッチ信号を生成するように構成され、
前記プロセッサは、前記タッチ信号に応じて対応する制御信号を生成するように構成されることを特徴とする、ヘッドマウントディスプレイデバイス。
【請求項２】
前記プロセッサは、前記機能装置に設けられ、
前記プロセッサは、前記データ線を介して、前記ヘッドマウント装置に制御信号を出力することにより、前記ヘッドマウント装置が対応する機能を実行するように制御することを特徴とする、請求項１に記載のヘッドマウントディスプレイデバイス。
【請求項３】
前記機能装置は、前記プロセッサと前記タッチパッドとの間に接続されるタッチインターフェースユニットをさらに含み、
前記タッチインターフェースユニットは、前記タッチパッドにより生成されたタッチ信号を受信して前記プロセッサに送信することを特徴とする、請求項２に記載のヘッドマウントディスプレイデバイス。
【請求項４】
前記プロセッサは、前記ディスプレイ装置に設けられ、
前記ディスプレイ装置は、前記プロセッサと前記タッチパッドとの間に接続されるタッチインターフェースユニットをさらに含み、
前記タッチインターフェースユニットは、前記タッチパッドにより生成されたタッチ信号を受信して前記プロセッサに送信するように構成されることを特徴とする、請求項１に記載のヘッドマウントディスプレイデバイス。
【請求項５】
前記ヘッドマウント装置は、音声の出力を提供するように構成されるイヤホン装置をさらに含むことを特徴とする、請求項１に記載のヘッドマウントディスプレイデバイス。
【請求項６】
前記プロセッサは、前記イヤホン装置に設けられ、
前記イヤホン装置は、前記プロセッサと前記タッチパッドとの間に接続されるタッチインターフェースユニットをさらに含み、
前記タッチインターフェースユニットは、前記タッチパッドにより生成されたタッチ信号を受信して前記プロセッサに送信するように構成されることを特徴とする、請求項５に記載のヘッドマウントディスプレイデバイス。
【請求項７】
前記ヘッドマウント装置は、音声及び映像プロセッサをさらに含み、
前記音声及び映像プロセッサは、音声及び映像信号を、前記ディスプレイ装置に表示出力され得る映像信号及びイヤホン装置に出力され得る音声信号に処理するように構成されることを特徴とする、請求項５に記載のヘッドマウントディスプレイデバイス。
【請求項８】
前記プロセッサは、タッチ信号に応じて、制御信号が、ある音声及び映像ファイルを開く制御信号であると確定された場合、記憶ユニットに記憶される、対応する音声及び映像ファイルを開くように制御し、音声及び映像を混合するマルチメディア信号を生成して前記データ線を介して前記音声及び映像プロセッサに伝送し、
前記音声及び映像プロセッサは、前記マルチメディア信号を受信し、前記マルチメディア信号を音声信号及び表示信号にデコードして、前記音声信号を前記イヤホン装置に送信して音声出力を行い、前記表示信号を前記ディスプレイ装置に送信して表示出力を行うことを特徴とする、請求項７に記載のヘッドマウントディスプレイデバイス。
【請求項９】
前記タッチパッドは、フレキシブルタッチパッドであり、前記データ線の周囲に包むことを特徴とする、請求項１に記載のヘッドマウントディスプレイデバイス。
【請求項１０】
前記プロセッサは、前記タッチパッドのタッチ信号及び現在のヘッドマウント装置の出力状態に応じて、対応する制御信号を確定することを特徴とする、請求項１に記載のヘッドマウントディスプレイデバイス。
【請求項１１】
前記プロセッサは、タッチ信号を受信した後、ヘッドマウント装置の現在の出力状態が音声及び映像の再生状態であるかどうかを判断し、
前記プロセッサは、現在の出力状態が音声及び映像の再生状態ではないと判断された場合、スライドタッチ動作に対応するタッチ信号に応じて、メニューオプション切り替えの機能を行うための制御信号を生成し、
前記プロセッサは、現在の出力状態が音声及び映像の再生状態であると判断された場合、クリックタッチ動作に対応するタッチ信号に応じて、現在の音声及び映像を再生または一時停止するように制御する制御信号を生成するか、またはダブルクリックタッチ動作に対応するタッチ信号に応じて、メニューを呼び出すように制御する制御信号を生成するか、またはスライドタッチ動作に対応するタッチ信号に応じて、再生音量を調整するように制御する制御信号を生成することを特徴とする、請求項１０に記載のヘッドマウントディスプレイデバイス。
【請求項１２】
前記プロセッサは、スライドタッチ動作に対応する制御信号に応じて、現在のヘッドマウント装置の出力状態が音声及び映像の再生状態である場合、さらにスライド方向に応じて、対応する機能を制御する制御信号を生成し、
前記プロセッサは、上下にスライドすると判断された場合、音量を調整するように制御する制御信号を生成することにより、音量を調整し、
前記プロセッサは、左右にスライドすると判断された場合、早送りまたは早戻しを制御する制御信号を生成することにより、現在の再生している音声及び映像ファイルの早送りまたは早戻しを制御することを特徴とする、請求項１０に記載のヘッドマウントディスプレイデバイス。
【請求項１３】
前記プロセッサは、タッチ信号に応じて少なくとも２つのタッチポイントを有し、少なくとも２つのタッチポイントのタッチ時間が連続的に第１持続時間よりも短いと確定された場合、クリックであると判断し、
前記プロセッサは、タッチ信号に応じて、所定の時間内に２回のクリックが発生したと確定された場合、ダブルクリックであると確定し、
前記プロセッサは、さらに受信されたタッチ信号に応じて、少なくとも２つのタッチポイントのタッチ時間が連続的に第２持続時間よりも長いと確定された場合、タッチ信号に応じて、前記少なくとも２つのタッチポイントの座標が変化したか否かを確定し、前記少なくとも２つのタッチポイントの座標が変化された場合、スライド動作であると確定することを特徴とする、請求項１０に記載のヘッドマウントディスプレイデバイス。
【請求項１４】
前記プロセッサは、タッチ信号に応じて、ロック解除／ロックの制御信号であると確定された場合、前記タッチパッドのロック解除状態またはロック状態を切り替えるように制御することを特徴とする、請求項２に記載のヘッドマウントディスプレイデバイス。
【請求項１５】
前記イヤホン装置は、音声駆動ユニットと、受話器とをさらに含み、
前記ディスプレイ装置は、表示駆動ユニットと、表示器と、光モジュールとを含み、
前記音声及び映像プロセッサは、前記プロセッサにより送信された、音声及び映像を混合するマルチメディア信号を受信する時、前記マルチメディア信号を音声信号及び表示信号にデコードして、前記音声信号を前記音声駆動ユニットに送信し、前記表示信号を、前記イヤホン装置に接続される前記ディスプレイ装置の前記表示駆動ユニットに送信し、
前記音声駆動ユニットは、前記音声信号に応じて対応する音声を出力するように前記受話器を駆動し、
前記表示駆動ユニットは、前記表示信号に応じて対応する表示画像を出力するように前記表示器を駆動し、
前記光モジュールは、前記表示器により出力された表示画像を、所定の経路に従ってユーザの両目に投影することを特徴とする、請求項８に記載のヘッドマウントディスプレイデバイス。
【請求項１６】
ヘッドマウントディスプレイデバイスの制御方法であって、
前記ヘッドマウントディスプレイデバイスは、ヘッドマウント装置と、機能装置と、前記ヘッドマウント装置を前記機能装置に接続するデータ線と、前記データ線に設けられるタッチパッドと、を含み、
前記方法は、
前記タッチパッドは、タッチ動作に応じてタッチ信号を生成するステップと、
前記ヘッドマウントディスプレイデバイスは、前記タッチ信号及び前記ヘッドマウント装置の現在の出力状態に応じて、対応する機能を確定するステップと、
対応する機能を制御する制御信号を出力することにより、対応する機能を実行するように制御するステップと、を含むことを特徴とする、制御方法。
【請求項１７】
前記タッチ信号及び前記ヘッドマウント装置の現在の出力状態に応じて、対応する機能を確定するステップは、
出力状態が音声及び映像の再生状態ではなく、タッチ動作がスライドタッチである場合、メニューオプション切り替えの機能を制御する制御信号を出力することと、
出力状態が音声及び映像の再生状態であり、タッチ動作がスライドタッチである場合、音量を調整するように制御する制御信号を出力することと、
出力状態が音声及び映像の再生状態であり、タッチ動作がクリックである場合、一時停止するように制御する制御信号を出力することと、
出力状態が音声及び映像の再生状態であり、タッチ動作がダブルクリックである場合、メニューを呼び出すように制御する制御信号を出力することと、を含むことを特徴とする、請求項１６に記載の制御方法。
【請求項１８】
前記方法は、タッチ動作に応じて、ロック解除／ロックのタッチ信号であると確定された場合、前記タッチパッドのロック解除状態またはロック状態を切り替えるように制御することにより、前記タッチパッドを操作可能又は操作禁止にするステップをさらに含むことを特徴とする、請求項１６に記載の制御方法。
【請求項１９】
タッチ信号に応じて、対応する機能が、ある音声及び映像ファイルを開くことであると確定された場合、音声及び映像ファイルを開き、音声及び映像を混合したマルチメディア信号を生成するステップと、
前記データ線を介して前記マルチメディア信号を前記ヘッドマウント装置に送信するステップと、
前記マルチメディア信号を音声信号及び表示信号にデコードして、前記音声信号をイヤホン装置に送信して音声出力を行い、前記表示信号をディスプレイ装置に送信して表示出力を行うステップと、をさらに含むことを特徴とする、請求項１６に記載の制御方法。
【国際調査報告】
2019506776.tif 000006
2019506776.tif 000007
2019506776.tif 000008
2019506776.tif 000009